(57)【特許請求の範囲】
【請求項１】
厚板体からなる切削工具本体と、この切削工具本体を固定するガイド鋼線を切削工具本体の中心軸とするときに、該中心軸を中心とする該厚板体の外周面に沿って複数配置されると共に、刃先を前記中心軸に平行若しくは斜めに形成され、かつ切削工具本体から突出する切削刃と、前記切削工具本体をガイド鋼線に着脱自在に固定するための固定部とからなる切削工具を、鋼撚り線もしくは鋼単線からなるガイド鋼線に固定し、当該ガイド鋼線の先端側端から柱状構造物の内部に挿入した後に、ガイド鋼線の他方側の端部を、少なくとも前記切削工具を固定したガイド鋼線全体が弧を描くように回転駆動して柱状構造物の中空部内部の切削を行うことを特徴とする切削方法。
【請求項２】
円柱体からなる切削工具本体と、この切削工具本体の円柱中心軸を当該切削工具本体を固定するガイド鋼線に一致させるときに、切削工具本体外周面に多数配設されるピン状の切削刃と、前記切削工具本体をガイド鋼線に着脱自在に固定するための固定部とからなる切削工具を、鋼撚り線もしくは鋼単線からなるガイド鋼線に固定し、当該ガイド鋼線の先端側端から柱状構造物の内部に挿入した後に、ガイド鋼線の他方側の端部を、少なくとも前記切削工具を固定したガイド鋼線全体が弧を描くように回転駆動して柱状構造物の中空部内部の切削を行うことを特徴とする切削方法。
【請求項３】
前記ガイド鋼線の長さは、当該ガイド鋼線を回転駆動したときに、ガイド鋼線に取り付けられた切削工具が前記柱状構造物内部の切削範囲内の障害物を切削可能である長さであることを特徴とする請求項１または２に記載の切削方法。
【請求項４】
前記ガイド鋼線の一方の端部は、接続手段を介して電動機の回転軸と接続され、
この電動機の回転駆動により当該ガイド鋼線をに取り付けられた切削工具を回転駆動することを特徴とする請求項１または３のいずれかに記載の切削方法。
【発明の詳細な説明】
【技術分野】
【０００１】
本発明は、コンクリート製構造物内部に存在する障害物を切削して除去するための切削方法に関する。
【背景技術】
【０００２】
近年、既設の鋼管柱やコンクリート製電柱における地震や台風といった自然災害による影響を回避するために、これら柱状構造物の補強工事が行われるようになっている。このような補強工事としてコンクリート製電柱内部に補強材を充填する工法が知られる（特許文献１）。このコンクリート製電柱の補強工事は、電柱内部の中空部に補強用の鉄筋やアラミドロッドを最適な位置に配置し、さらにモルタル等を充填することにより行われる。
【０００３】
しかしながら、コンクリート製電柱等の柱状構造物の中空部内壁面は、通常は仕上げがなされていないことから、電柱製造時に形成される「のろ」による突起や、製造後に、例えばアース孔（地気線取出口）等の開口から侵入した塵埃等の付着物が存在する。これらは補強用の鉄筋やアラミドロッドを最適な位置に配置する際の作業の障害になるばかりでは無く、充填されたモルタルと電柱の中空部内壁面との接着性を阻害する要因になりかねない可能性がある。
【０００４】
一方、汎用的な切削工具は市場には各種出回っているものの（例えば特許文献２）、コンクリートの切削に適した工具、特に柱状構造物内部の中空部の切削に適用できるものは殆ど見当たらない。また、柱状構造物内部の中空部の切削に流用可能と思われるものも（特許文献３）、装置が大がかりであり、既に設置されている柱状構造物に適用することは困難である。
【特許文献１】特開２００４−９２３７６号
【特許文献２】特許公表２００３−５１１２５２号
【特許文献３】特許公開２００１−３５５３９６号
【発明の開示】
【発明が解決しようとする課題】
【０００５】
上述したように、従来の切削工具および切削工法は、柱状構造物内部の中空部の切削に適用できるものは殆ど見当たらず、また流用可能と思われる装置は機構が複雑で大がかりであるため重量及び取り扱いの点で既設の電柱等の柱状構造物に適用することは殆ど不可能である。
【０００６】
本発明は、既設の柱状構造物の作業環境が悪い場合であっても柱状構造物の内部の切削を容易かつ確実に行い得る切削方法を提供することにある。
【課題を解決するための手段】
【００１３】
上記の課題を解決するために、請求項１の切削方法は、厚板体からなる切削工具本体と、この切削工具本体を固定するガイド鋼線を切削工具本体の中心軸とするときに、該中心軸を中心とする該厚板体の外周面に沿って複数配置されると共に、刃先を前記中心軸に平行若しくは斜めに形成され、かつ切削工具本体から突出する切削刃と、前記切削工具本体をガイド鋼線に着脱自在に固定するための固定部とからなる切削工具を、鋼撚り線もしくは鋼単線からなるガイド鋼線に固定し、当該ガイド鋼線の先端側端から柱状構造物の内部に挿入した後に、ガイド鋼線の他方側の端部を、少なくとも前記切削工具を固定したガイド鋼線全体が弧を描くように回転駆動して柱状構造物の中空部内部の切削を行うことを要旨とする。を特徴とする切削方法。
【００１４】
請求項１の切削工法では、切削工具を固定したガイド鋼線全体が弧を描くように、つまり振り回すように当該ガイド鋼線を回転駆動するだけで、例えばコンクリート製構造物の内部全体が容易かつ効率的に切削される。
【００１５】
請求項２の切削方法は、円柱体からなる切削工具本体と、この切削工具本体の円柱中心軸を当該切削工具本体を固定するガイド鋼線に一致させるときに、切削工具本体外周面に多数配設されるピン状の切削刃と、前記切削工具本体をガイド鋼線に着脱自在に固定するための固定部とからなる切削工具を、鋼撚り線もしくは鋼単線からなるガイド鋼線に固定し、当該ガイド鋼線の先端側端から柱状構造物の内部に挿入した後に、ガイド鋼線の他方側の端部を、少なくとも前記切削工具を固定したガイド鋼線全体が弧を描くように回転駆動して柱状構造物の中空部内部の切削を行うことを要旨とする。
【００１６】
請求項２の切削方法では、切削工具を固定したガイド鋼線全体が弧を描くように、つまり振り回すように当該ガイド鋼線を回転駆動するだけで、例えばコンクリート製構造物の内部全体が容易かつ効率的に切削される。
【００１７】
請求項３の切削方法は、ガイド鋼線の長さは、当該ガイド鋼線を回転駆動したときに、ガイド鋼線に取り付けられた切削工具が前記コンクリート製構造物内部の切削範囲内の障害物を切削可能である長さであることを要旨とする。
【００１８】
請求項３の切削方法では、ガイド鋼線を回転駆動することにより、コンクリート製構造物内部の切削範囲内の障害物を切削することが可能である。
【００１９】
請求項４の切削方法は、前記請求項１または２のいずれかに記載のガイド鋼線の一方の端部は、接続手段を介して電動機の回転軸と接続され、この電動機の回転駆動により当該ガイド鋼線をに取り付けられた切削工具を回転駆動することを要旨とする。
【００２０】
請求項４の切削方法では、電動機によりガイド鋼線を回転駆動することからコンクリート製構造物内部で高速に切削工具を振り回すように回転駆動することができ、これにより迅速な障害物の切削が可能となる。
【発明の効果】
【００２１】
本発明によれば、作業環境の悪い既設の柱状構造物の内部の切削を容易かつ確実に行い得る。
【発明を実施するための最良の形態】
【００２２】
以下、本発明の実施の形態を図面を参照して説明する。図１は本実施の形態の切削工法で使用される複数種類の切削工具をガイド鋼線に取り付けた状態を示し、図２は図１に示される斜形替え刃型月形切削工具の構成を示し、図３は図２に示す斜形替え刃型月形切削工具のガイド鋼線への取り付けを示し、図４は図２に示す斜形替え刃型月形切削工具の断面を示し、図５は図１に示されるピン形切削工具の構成を示す。
【００２３】
まず図１乃至図４を参照して斜形替え刃型月形切削工具１の概略の構成について説明する。図２に示すように正面外観はいわゆる二つ巴の中心円状部分を重ねたような外観であり、板厚の本体（月形切削工具本体１１）から外周方向に替え刃取り付け部１５が突き出し、さらに月形切削工具本体１１に切り欠きを設け補助刃（斜形副切削刃１７）が形成された形状である。
【００２４】
以下、詳述する。斜形替え刃型月形切削工具１の月形切削工具本体１１は、金属製のほぼ円形の厚板、具体的には５ｍｍ〜２ｃｍ、好ましくは１ｃｍ程度の板厚の回転体を成形してなる。
【００２５】
また、月形切削工具本体１１から中心軸に対象に２方向に突出して設けられる２つの替え刃取り付け部１５にはそれぞれ替え刃１５ａが替え刃留めねじ１５ｂでねじ留めされる。この替え刃１５ａは正面から見たとき正方形の替え刃１５ａの刃が中心軸に対して斜めになるようにかつ着脱自在に替え刃取り付け部１５に取り付けられる。なお図中ねじ孔１５ｃは、替え刃１５ａを替え刃取り付け部１５に取り付ける六角ねじ（六角穴付き止めボルト）である替え刃留めねじ１５ｂ用に穿孔ドリル等で穿孔し穿設されたねじ孔である。
【００２６】
さらに月形切削工具本体１１から替え刃取り付け部１５への立ち上がり部分には、中心軸に所定の傾きを持った方向に切り欠きが設けられ、この切り欠き、すなわち斜形副切削刃１７が替え刃１５ａに対する補助刃として機能する。
【００２７】
このような形状の斜形替え刃型月形切削工具１にあっては、まず主刃としての替え刃取り付け部１５に取り付けられた替え刃１５ａが被切削面を切削する。また、斜形副切削刃１７は斜形替え刃型月形切削工具１としての切削能力を高めるものであるが、替え刃１５ａが使用により刃面が摩耗したときに、替え刃１５ａを換えるまでの間、切削を補助することから、２つの意味で補助刃として機能するものである。
【００２８】
なお、この斜形替え刃型月形切削工具１の構造を単純にするために、替え刃取り付け部１５に取り付けられる替え刃１５ａと斜形副切削刃１７の刃の少なくとも一方の刃を斜めから中心軸に対して平行な平刃としても良い。
【００２９】
また、月形切削工具本体１１の中心軸に対して対向する２つの位置に、後述する本体留めねじ１１ａ用のねじ孔を穿設するための、中心軸に離間しかつ平行な平面を厚板の板厚面（側面）に削り出し、さらに月形切削工具本体１１の中心軸の中心部分にガイド鋼線５を挿通するためのガイド鋼線通し孔１３を穿設する。次に、このガイド鋼線通し孔１３に挿通されるガイド鋼線５を留める六角ねじ（六角穴付き止めボルト）である本体留めねじ１１ａ用のねじ孔を前記削り出された平面に中心軸方向に直交してガイド鋼線通し孔１３まで貫通するように穿設し、このねじ孔に本体留めねじ１１ａを螺合する。
【００３０】
なお、本体留めねじ１１ａを螺合させたときに、ガイド鋼線５が太く本体留めねじ１１ａの頭部がねじ孔から突出するような場合であっても、図４に示されるように該本体留めねじ１１ａ用のねじ孔が前記削り出された平面に設けられていることから、本体留めねじ１１ａの頭部が被切削面に接触して摩耗することが防止される。
【００３１】
次に図５を参照してピン形切削工具３の概略の構成を説明する。
【００３２】
ピン形切削工具３は、直径２ｃｍ〜６ｃｍ、長さ３ｃｍ〜１０ｃｍ程度の金属製円柱体であるピン形切削工具本体３１と、切削部（切削刃）として機能する長さ１ｃｍ〜５ｃｍ程度の鋼製線材からなる多数の切削ピン３５によって構成される。このピン形切削工具本体３１の大きさは取り扱い、切削効率の点から直径２〜３ｃｍ、長さ３〜５ｃｍ程度であると良い。なお、切削ピン３５の長さは切削処理により摩耗し、短くなることから当初は長めにしておくと良い。
【００３３】
以下、ピン形切削工具３の構成を詳細に説明する。ピン形切削工具本体３１は中心軸に沿ってガイド鋼線通し孔３３が設けられ、また側面にはピン形切削工具本体３１をガイド鋼線５に固定するための六角ねじ（六角穴付き止めボルト）である本体留めねじ３１ａ用のねじ孔が穿設される。
【００３４】
またピン形切削工具本体３１の上面と下面にはそれぞれ切削ピン３５、切削ピン３７を着脱自在に固定する切削ピン留めねじ３５ａ（３７ａ；図示してない）用のねじ孔が穿設される。すなわち切削ピン３５（切削ピン３７）が摩耗した際には、切削ピン留めねじ３５ａ（３７ａ）を緩め、摩耗した切削ピン３５を抜き外し、交換用の切削ピン３５を差込み、その後、切削ピン留めねじ３５ａを締め込み、切削ピン留めねじ３５ａをピン形切削工具本体３１に固定する。従って切削ピン３５（切削ピン３７）の数だけ切削ピン留めねじ３５ａ（３７ａ）が設けられることになる。
【００３５】
次に、このようにして作成された斜形替え刃型月形切削工具１およびピン形切削工具３（以下、単に切削工具１、３ともいう）を図１に示す順序にてガイド鋼線５に取り付ける。図１ではガイド鋼線５Ａに斜形替え刃型月形切削工具１Ａ−ピン形切削工具３Ａ−ピン形切削工具３Ｂ−斜形替え刃型月形切削工具１Ｂ−ピン形切削工具３Ｃ−ピン形切削工具３Ｄ−斜形替え刃型月形切削工具１Ｃ〜接続具７〜が順次、嵌装された場合を示しているが、適宜、任意の順番で嵌装しても良いのは言うまでもないことである。
【００３６】
例えば、斜形替え刃型月形切削工具１Ａ−斜形替え刃型月形切削工具１Ｂ−ピン形切削工具３Ａ−ピン形切削工具３Ｂ−斜形替え刃型月形切削工具１Ｃ−斜形替え刃型月形切削工具１Ｄ−ピン形切削工具３Ｃ−ピン形切削工具３Ｄ−のように同型の切削工具を同数ずつ繰り返すように配列しても良く、あるいは斜形替え刃型月形切削工具１Ａ−ピン形切削工具３Ａ−ピン形切削工具３Ｂ−〜−ピン形切削工具３−斜形替え刃型月形切削工具１Ｂ−ピン形切削工具３−ピン形切削工具３−〜−ピン形切削工具３−斜形替え刃型月形切削工具１Ｃのように配列しても良く、さらには斜形替え刃型月形切削工具１のみ、もしくはピン形切削工具３のみで構成するようにしても良い。
【００３７】
通常は斜形替え刃型月形切削工具１は、硬いノロＮに適しており、ピン形切削工具３は比較的柔らかいノロＮに適している。
【００３８】
ガイド鋼線５は取り扱い易さの点で本実施形態では、長さ２ｍ程度の鋼撚り線（３号）としているが、切削対象に応じて、例えばガイド鋼線５を回転駆動したときに、ガイド鋼線５に取り付けられた切削工具１が電柱内部の障害物を切削可能な長さであれば良く、そのため電柱長（実際には電柱内部中空部分の長さ）とほぼ同じ長さとしても良い。
【００３９】
この場合、図１に示すように所定長のガイド鋼線５に予め切削工具１、３を装着しておき、必要な長さに応じてガイド鋼線５を接続具７で接続する。
【００４０】
また、鋼撚り線としてはは、後述するように通常はボビンに巻回されて流通されている鋼撚り線の巻き癖を切削時に利用することから、巻き癖を利用するための硬性の点で鋼撚り線の４号程度を用いた方が取り扱いが容易でもあり好ましい。
【００４１】
なお、ガイド鋼線５の両端にはガイド鋼線５（撚り線）がほぐれるのを防止するために針金等を巻回してほう縛したほう縛部を設ける。
【００４２】
次に、上述した切削工具１、３を用いた切削工法について図面を参照して説明する。図６は切削用モータＭの鋼管柱Ｐの頂部への取り付けを示し、図７は切削工具１、３を取り付けたガイド鋼線５を切削用モータＭに接続する状態を示し、図８は切削用モータＭを上下方向に移動して、ガイド鋼線５に取り付けた切削工具１、３を電柱内部で上下方向に移動する状態を示し、図９は切削工具１、３を取り付けたガイド鋼線５を電柱内部で回転駆動して電柱内部のノロＮを切削している状態を示す図である。
【００４３】
まず、図６を参照するに、鋼管柱Ｐの頂部に台座受け台Ｓを取り付ける。図では鋼管柱頂部に筒状の台座受け台Ｓを被せた後に、該台座受け台Ｓを鋼管柱にボルト等により固定するものを示しているが、切削用モータＭの昇降用台座３０を鋼管柱頂部に取り付けられればいいのであるから、例えば金属製の着脱自在の取り付けバンド等であっても良い。なお、本実施形態においては、立設された既設の鋼管柱を想定して説明するが、同様に立設された電柱でもよく、あるいは地中にほぼ水平に埋設された鋼管またはコンクリート管であっても同様に作業を進めることが出来、同様の効果を得ることが出来るのは言うまでも無い。
【００４４】
次に、この台座受け台Ｓに昇降用台座３０を取り付ける。この昇降用台座３０は、台座受け台Ｓにボルトで取り付けるための台状の台座取り付け部３１と、この台座取り付け部３１に立設される昇降軸部３３と、この昇降軸３３をなめらかに昇降可能に取り付けられるモータ取り付け架台３５と、切削用モータＭを載置したモータ取り付け架台３５を手動にて上下方向に昇降するためのモータ昇降用ハンドル３５ａと、昇降軸３３をなめらかに昇降可能に取り付けられ、かつ後述する接続軸９を例えば転がり軸受ユニット等のベアリング機構により回動自在に支持する支軸部３７により構成される。
【００４５】
次に、予め前処理として、図１に示すように複数の切削工具１、３が取り付けられたガイド鋼線５と接続軸９とを接続具７Ａを用いて取り付けておく。この接続具７Ａは、６角棒状の接続軸９と撚り線である鋼撚り線５とを接続し得る形状である。続いて前処理の済んだ接続軸９を支軸部３７を通した後、図７，８に示すように支軸部３７の上端部を切削用モータＭの回転軸にチャックを介して接続する。
【００４６】
次に、図８に示すように、モータ昇降用ハンドル３５ａを使用して、切削用モータＭの昇降が支障無く、行えることを確認しておく。このとき鋼管柱Ｐの中空部分の中心に接続軸９が位置するように調整しておく。
【００４７】
次に、切削作業を開始する。この切削作業は図８に示すように、モータ昇降用ハンドル３５ａを操作して、切削用モータＭの昇降しながら行う。
【００４８】
以下、詳細に説明する。まず、モータ昇降用ハンドル３５ａを操作して、切削用モータＭを最下段まで下げた後に、切削用モータＭを回転駆動させて、切削を開始する（図９参照）。切削はモータ昇降用ハンドル３５ａを操作して、下段から上段へ、例えば５ｃｍずつ移動しながら、各５分づつ行う。この移動量と切削時間はのろＮの付着状況により適宜変更する。また、この昇降移動の間、切削用モータＭは停止させない。このようにして、切削用モータＭが最上段まで移動が完了した時点で１次切削を終了する。
【００４９】
続いて、２次切削を開始する。この２次切削は１次切削完了後に、一旦、切削用モータＭの回転を止め、再度、切削用モータＭを最下段まで下げた後に、切削用モータＭを回転駆動させて、２次切削を開始する。切削は１次切削と同様にモータ昇降用ハンドル３５ａを操作して、下段から上段へ５ｃｍずつ移動しながら、各３分づつ行う。この移動量と切削時間は１次切削後ののろＮの付着状況により適宜、例えば３ｃｍ毎に４分のごとく変更する。この昇降移動の間、切削用モータＭは停止させない。このようにして、切削用モータＭが最上段まで移動が完了した時点で２次切削を終了する。
【００５０】
なお、切削用モータＭの回転数やガイド鋼線５の長さ、鋼撚り線の巻き癖等により、切削工具１、３が取り付けられたガイド鋼線５全体が大きな弧を描いて周期的にのろＮを削り取るようにもできる。
【００５１】
なお、本発明の切削対象は鋼管柱に限定されることなく、例えば電柱や煙突等にも適用可能である。
【００５２】
なお、以上の説明では、刃型月形切削工具１とピン形切削工具３を使用した場合を示したが、適宜、任意の切削工具、例えば図１０に示す斜形複刃切欠付き月形切削工具１０１や、図１１に示す平形複刃月形切削工具２０１、あるいは図１２に示す斜単刃月形切削工具３０１等を使用するようにしても良いのは言うまでもないことである。
【００５３】
次に、図１０，１１，１２を参照して、斜形複刃切欠付き月形切削工具１０１、平形複刃月形切削工具２０１、および斜単刃月形切削工具３０１について説明する。
【００５４】
まず図１０を参照するに斜形複刃切欠付き月形切削工具１０１の概略の正面外観はいわゆる二つ巴の中心円状部分を重ねたような外観であり、具体的には５ｍｍ〜２ｃｍ、好ましくは１ｃｍ程度の板厚の鋼製回転板（月形切削工具本体１１１）から外周方向に切削刃（斜形切欠付き主切削刃１１５）が突出し、さらに月形切削工具本体１１１に切り欠きを設け補助刃（斜形副切削刃１１７）が形成された形状である。
【００５５】
さらに詳しくは、斜形複刃切欠付き月形切削工具１０１の月形切削工具本体１１１は、ほぼ円形の厚板からなり、この月形切削工具本体１１１の中心軸に対して対向する位置に後述するねじ孔を穿設するための中心軸に離間しかつ平行な平面を厚板の板厚面（側面）に削り出し、さらに中心軸中心部分にガイド鋼線５を挿通するためのガイド鋼線通し孔１１３を設けた後に、このガイド鋼線通し孔１１３に挿通されるガイド鋼線５を留める六角ねじ（六角穴付き止めボルト）である本体留めねじ１１１ａ用のねじ孔が前記削り出された平面に中心軸方向に直交しガイド鋼線通し孔１１３まで貫通するように穿設される。
【００５６】
また、月形切削工具本体１１１から中心軸に対象に２方向に突出して設けられる２つの斜形切欠付き主切削刃１１５の刃は中心軸に対して斜めになるように形成され、さらに斜形切欠付き主切削刃１１５の斜め刃部分には、中心軸に直交する方向に切り欠かれた切り欠き１１５ａが設けられる。
【００５７】
また月形切削工具本体１１１から斜形切欠付き主切削刃１１５への立ち上がり部分には、中心軸に所定の傾きを持った方向に切り欠きが設けられ、この切り欠き、すなわち斜形副切削刃１１７が斜形切欠付き主切削刃１１５に対する補助刃として機能する。
【００５８】
このような形状の斜形複刃切欠付き月形切削工具１０１は、まず主刃としての斜形切欠付き主切削刃１１５が被切削面を切削する際に、切り欠き１１５ａが斜形切欠付き主切削刃１１５に、さらに２カ所の鋭角部分を与えることから切削能力をさらに高めることになる。また、斜形副切削刃１１７も同様に切削能力を高めるが、斜形副切削刃１１７は使用により斜形切欠付き主切削刃１１５の刃面が摩耗したときに替わって切削を行うことから、２つの意味で補助刃として機能するものである。
【００５９】
この斜形複刃切欠付き月形切削工具１０１は、上述した斜形替え刃型月形切削工具１に比して構造が単純であることから、斜形替え刃型月形切削工具１に比べると製造が容易であり、そのため廉価である。さらに構造を単純にするために、斜形切欠付き主切削刃１１５と斜形副切削刃１１７の刃の少なくとも一方の刃を斜めから中心軸に対して平行な平刃としても良い。
【００６０】
次に、平形複刃月形切削工具２０１について、図１１を参照して説明する。
この平形複刃月形切削工具２０１は、上述した斜形複刃切欠付き月形切削工具１０１の切り欠き１１５ａを設けず、さらに平形主切削刃２１５と平形副切削刃２１７の両方の刃を中心軸に平行な平刃としただけの差異であることから、詳細な説明を省略する。
【００６１】
なお、月形切削工具本体２１１は月形切削工具本体１１１に、本体留めねじ２１１ａは本体留めねじ１１１ａに、ガイド鋼線通し孔２１３はガイド鋼線通し孔１１３に、平形主切削刃２１５は斜形切欠付き主切削刃１１５に、平形副切削刃２１７は斜形副切削刃１１７にそれぞれ対応する。
【００６２】
次に、最も単純な斜単刃月形切削工具３０１について、図１２を参照して説明する。正面外観はいわゆる二つ巴の中心円状部分を重ねたような外観であり、具体的には５ｍｍ〜２ｃｍ、好ましくは１ｃｍ程度の板厚の回転板（月形切削工具本体３１１）から外周方向に切削刃（斜形主切削刃３１５）が突出する形状である。
【００６３】
すなわち、斜単刃月形切削工具３０１は月形切削工具本体３１１の中心軸中心部分にガイド鋼線５を挿通するためのガイド鋼線通し孔３１３が設けられ、このガイド鋼線通し孔３１３に挿通されるガイド鋼線５を留める六角ねじ（六角穴付き止めボルト）である本体留めねじ３１１ａ用のねじ孔が中心軸方向に直交して設けられる。また、月形切削工具本体３１１から中心軸に対象に突出して設けられる２つの斜形主切削刃３１５の刃は中心軸に対して斜めになるように形成される。
【００６４】
この斜単刃月形切削工具３０１は、構造が単純であることから、製造が容易であり、そのため廉価である。さらに構造を単純にする場合は、刃を斜めから中心軸に対して平行な平刃とする。
【００６５】
なお、上述した各切削刃は、焼き入れを行う、付け刃処理を行う、耐摩耗性、強度、耐食性に優れた超硬合金を粉末冶金により製造する等の製造・処理を含め、その他のさまざまな条件に応じて適宜、形状や製造・処理方法を変更することが可能である。
【図面の簡単な説明】
【００６６】
【図１】本発明の切削工法で使用される複数種類の切削工具の取り付け状態を示す斜視図である。
【図２】本発明の切削工法で使用される斜形替え刃型月形切削工具の構成を示す斜視図である。
【図３】図２示す斜形替え刃型月形切削工具をガイド鋼線に取り付けた状態を示す正面図である。
【図４】図２示す斜形替え刃型月形切削工具の構成を示す断面図である。
【図５】本発明の切削工法で使用されるピン形切削工具の構成を示す斜視図である。
【図６】切削用モータの電柱頂部への取り付けを示す図である。
【図７】切削工具を取り付けたガイド鋼線を切削用モータに接続する状態を示す図である。
【図８】切削用モータを上下方向に移動して、ガイド鋼線に取り付けた切削工具を電柱内部で上下方向に移動する状態を示す図である。
【図９】切削工具を取り付けたガイド鋼線を電柱内部で回転駆動して電柱内部のノロを切削している状態を示す図である。
【図１０】本発明の他の実施形態に係る斜形複刃切欠付き月形切削工具の構成を示す斜視図である。
【図１１】本発明の他の実施形態に係る平形複刃月形切削工具の構成を示す斜視図である。
【図１２】本発明の他の実施形態に係る斜単刃月形切削工具の構成を示す斜視図である。
【符号の説明】
【００６７】
１…斜形替え刃型月形切削工具
３…ピン形切削工具
５…ガイド鋼線
７…接続具
９…接続用軸
１１…月形切削工具本体
１１ａ…本体留めねじ
１３…ガイド鋼線通し孔
１５…替え刃取り付け部
１５ａ…替え刃
１５ｂ…替え刃留めねじ
１５ｃ…ねじ孔
１７…斜形副切削刃
３１…ピン形切削工具本体
３１ａ…本体留めねじ
３３…ガイド鋼線通し孔
３５…切削ピン
３５ａ…切削ピン留めねじ
３７…切削ピン
１０１…斜形複刃切欠付き月形切削工具
１１１…月形切削工具本体
１１１ａ…本体留めねじ
１１３…ガイド鋼線通し孔
１１５…斜形切欠付き主切削刃
１１５ａ…切り欠き
１１７…斜形副切削刃
２０１…平形複刃月形切削工具
２１１…月形切削工具本体
２１１ａ…本体留めねじ
２１３…ガイド鋼線通し孔
２１５…平形主切削刃
２１７…平形副切削刃
３０１…斜単刃月形切削工具
３１１…月形切削工具本体
３１１ａ…本体留めねじ
３１３…ガイド鋼線通し孔
３１５…斜形主切削刃
Ｍ…モータ
Ｓ…受け台
Ｐ…電柱
【図１】
0004825017.tif 000002
【図２】
0004825017.tif 000003
【図３】
0004825017.tif 000004
【図４】
0004825017.tif 000005
【図５】
0004825017.tif 000006
【図６】
0004825017.tif 000007
【図７】
0004825017.tif 000008
【図８】
0004825017.tif 000009
【図９】
0004825017.tif 000010
【図１０】
0004825017.tif 000011
【図１１】
0004825017.tif 000012
【図１２】
0004825017.tif 000013